(57)【要約】【課題】凹凸のある外周端を有するのでデザイン性に優れているうえに、封入物を入れやすく、取り出しやすく、強度が確保できる封筒を提供する。【解決手段】凹凸のある外周端を有する模様形状の表シートと、開口部を除き表シートと略同一形状の裏シートとからなり、表シートと裏シートは、開口部を除く外周縁部で接着して収納部を形成しており、断面が略Ｖ字形の細長い折り曲げ体２本が該収納部の左端沿いと右端沿いに、略Ｖ字形の内角部同士が向き合うように、かつ、略並行に内挿されており、該折り曲げ体の外面が表シートの内面および裏シートの内面に接着していることを特徴とする封筒。【選択図】図１
0003135448.tif 000002
【実用新案登録請求の範囲】
【請求項１】
凹凸のある外周端を有する模様形状の表シートと、開口部を除き表シートと略同一形状の裏シートとからなり、表シートと裏シートは、開口部を除く外周縁部で接着して収納部を形成しており、断面が略Ｖ字形の細長い折り曲げ体２本が該収納部の左端沿いと右端沿いに、略Ｖ字形の内角部同士が向き合うように、かつ、略並行に内挿されており、該折り曲げ体の外面が表シートの内面および裏シートの内面に接着していることを特徴とする封筒。
【請求項２】
表シート、裏シート及び折り曲げ体は、紙製またはプラスチックシート製であり、折り曲げ体は、表シートと裏シートが左右中間部において密接せず離隔するのに十分な弾性を有していることを特徴とする請求項１記載の封筒。
【請求項３】
凹凸のある外周端を有する模様形状の表シートと、開口部を除き表シートと略同一形状の裏シートとからなり、表シートと裏シートは、開口部およびその近傍を除く外周縁部で接着して収納部を形成しており、断面が略Ｖ字形の細長い折り曲げ体２本が該収納部の左端沿いと右端沿いに、略Ｖ字形の内角部同士が向き合うように、かつ、略並行に内挿されており、折り曲げ体２本の開口部側の端部に蛇腹体が接続しており、該蛇腹体の両端面は表シートの開口部近傍内面と裏シートの開口部近傍内面に接着しており、該折り曲げ体の外面が表シートの内面および裏シートの内面に接着していることを特徴とする封筒。
【請求項４】
表シート、裏シート、折り曲げ体及び蛇腹体は、紙製またはプラスチックシート製であり、折り曲げ体は、表シートと裏シートが左右中間部において密接せず離隔するのに十分な弾性を有していることを特徴とする請求項３記載の封筒。
【請求項５】
凹凸のある外周端を有する模様形状の表シートと、開口部を除き表シートと略同一形状の裏シートとからなり、表シートと裏シートは、開口部を除く外周縁部で接着して収納部を形成しており、断面が略Ｖ字形でありその内角部同士が向き合った折り返し部を左右両端沿いに有する矩形シートが、該収納部の左右両端沿いに内挿されており、該矩形シートの外面が表シートの内面および裏シートの内面に接着していることを特徴とする封筒。
【請求項６】
表シート、裏シート及び矩形シートは、紙製またはプラスチックシート製であり、矩形シートの折り返し部は、表シートと裏シートが左右中間部において密接せず離隔するのに十分な弾性を有していることを特徴とする請求項５記載の封筒。
【請求項７】
凹凸のある外周端を有する模様形状の表シートと、開口部を除き表シートと略同一形状の裏シートとからなり、表シートと裏シートは、開口部を除く外周縁部で接着して収納部を形成しており、断面が扁平な略菱形もしくは略楕円形の筒状体が、該収納部に内挿されており、該筒状体の外面が表シートの内面および裏シートの内面に接着していることを特徴とする封筒。
【請求項８】
表シート、裏シート及び筒状体は、紙製またはプラスチックシート製であり、筒状体は、表シートと裏シートが左右中間部において密接せず離隔するのに十分な弾性を有していることを特徴とする請求項７記載の封筒。
【請求項９】
筒状体の底側端部が閉じていることを特徴とする請求項８記載の封筒。
【考案の詳細な説明】
【技術分野】
【０００１】
本考案は、デザイン性に優れ、封入物を入れやすく、取り出しやすい封筒に関する。
【背景技術】
【０００２】
従来より封筒は通常矩形であり無地である。しかし、封筒の表紙に文字やイラストなどを施して装飾することにより封筒の受取人に視覚を通じて訴える試みがされている。例えば、親しい間柄の受取人に親近感を覚えさせたり、ダイレクトメールなどの受取人に対して広告宣伝効果を増加させるには、封筒の表紙に文字やイラストなどを施して装飾すると効果的である。
【０００３】
表紙のイラストに加え、他の手法により装飾した視覚的インパクトのある封筒として、郵便封筒ではないが、周縁を凹凸としたお年玉袋用封筒が提案されている（特許文献１）。この考案は、「紙等の板体を素材として周縁を凹凸とした模様形状の表板と、該表板と同一素材で同形状の裏板とを形成し、表板と裏板の全周表板平面部と全周裏板平面部を接着剤層を介して接着し中央に収納室を形成し、且つ収納室の上部に位置して裏板に開口切断条を上方に円弧状に設けて上部開口部を形成すると共に円弧状に形成した開口切断条の両端はＵ字上切込条を形成し、且又開口切断条より上部に位置した表板と裏板の全面を接着剤層とで接着して全面接着板面を形成し、又更に裏板に剥離紙を介して感圧性封紙片を接着した封筒」というものである。
【０００４】
しかしながら、上記封筒は実質的にお年玉袋を想定して考案されたものである。また、この考案では、「表板と裏板の両端部をやや握りしめれば全面接着板と裏板の開口切断条より下方に位置する背面板部とは互いに逆方向に湾曲して収納室の上部開口部の開口を円滑に行うことができる」とされているが、実際には、表板と裏板の両端部をやや握りしめると、表板と裏板とがくっついた状態で同方向に曲がり、開封を円滑に行うことは困難である。また、収納室を形成する表板と裏板との間が、収納室両側辺、つまり表板と裏板との接着位置に向かって極端に狭くなっているため、例えば、便箋などを収納室に出し入れする場合、便箋などが狭いところに挟まり、出し入れが困難となるという問題がある。また、表板と裏板とを接着する領域が、収納室を除く表板と裏板の周縁部付近のみとなるので、封筒本体としての強度不足となるという問題がある。強度確保を目的として外周部を大きくすると、封筒の両側端を軽く握って開口部の表板と裏板を逆方向に湾曲させることが困難となるという問題がある。
【０００５】
【特許文献１】実開昭６２−２６３５９
【考案の開示】
【考案が解決しようとする課題】
【０００６】
そこで、本考案は、凹凸のある外周端を有するのでデザイン性に優れているうえに、封入物を入れやすく、取り出しやすく、強度が確保できる封筒を提供することを目的とする。
【課題を解決するための手段】
【０００７】
本考案者は、以下の構成によって、凹凸のある外周端を有する封筒において、封入物を入れやすく、取り出しやすく、強度が確保できることを見出した。
【０００８】
本考案は、
「［１］凹凸のある外周端を有する模様形状の表シートと、開口部を除き表シートと略同一形状の裏シートとからなり、表シートと裏シートは、開口部を除く外周縁部で接着して収納部を形成しており、断面が略Ｖ字形の細長い折り曲げ体２本が該収納部の左端沿いと右端沿いに、略Ｖ字形の内角部同士が向き合うように、かつ、略並行に内挿されており、該折り曲げ体の外面が表シートの内面および裏シートの内面に接着していることを特徴とする封筒。
［２］表シート、裏シート及び折り曲げ体は、紙製またはプラスチックシート製であり、折り曲げ体は、表シートと裏シートが左右中間部において密接せず離隔するのに十分な弾性を有していることを特徴とする［１］記載の封筒。
［３］凹凸のある外周端を有する模様形状の表シートと、開口部を除き表シートと略同一形状の裏シートとからなり、表シートと裏シートは、開口部およびその近傍を除く外周縁部で接着して収納部を形成しており、断面が略Ｖ字形の細長い折り曲げ体２本が該収納部の左端沿いと右端沿いに、略Ｖ字形の内角部同士が向き合うように、かつ、略並行に内挿されており、折り曲げ体２本の開口部側の端部に蛇腹体が接続しており、該蛇腹体の両端面は表シートの開口部近傍内面と裏シートの開口部近傍内面に接着しており、該折り曲げ体の外面が表シートの内面および裏シートの内面に接着していることを特徴とする封筒。
［４］表シート、裏シート、折り曲げ体及び蛇腹体は、紙製またはプラスチックシート製であり、折り曲げ体は、表シートと裏シートが左右中間部において密接せず離隔するのに十分な弾性を有していることを特徴とする［３］記載の封筒。
［５］凹凸のある外周端を有する模様形状の表シートと、開口部を除き表シートと略同一形状の裏シートとからなり、表シートと裏シートは、開口部を除く外周縁部で接着して収納部を形成しており、断面が略Ｖ字形でありその内角部同士が向き合った折り返し部を左右両端沿いに有する矩形シートが、該収納部の左右両端沿いに内挿されており、該矩形シートの外面が表シートの内面および裏シートの内面に接着していることを特徴とする封筒。
［６］表シート、裏シート及び矩形シートは、紙製またはプラスチックシート製であり、矩形シートの折り返し部は、表シートと裏シートが左右中間部において密接せず離隔するのに十分な弾性を有していることを特徴とする［５］記載の封筒。
［７］凹凸のある外周端を有する模様形状の表シートと、開口部を除き表シートと略同一形状の裏シートとからなり、表シートと裏シートは、開口部を除く外周縁部で接着して収納部を形成しており、断面が扁平な略菱形もしくは略楕円形の筒状体が、該収納部に内挿されており、該筒状体の外面が表シートの内面および裏シートの内面に接着していることを特徴とする封筒。
［８］表シート、裏シート及び筒状体は、紙製またはプラスチックシート製であり、筒状体は、表シートと裏シートが左右中間部において密接せず離隔するのに十分な弾性を有していることを特徴とする［７］記載の封筒。
［９］筒状体の底側端部が閉じていることを特徴とする［８］記載の封筒。」
に関する。
【考案の効果】
【０００９】
請求項１〜請求項４の封筒は、断面が略Ｖ字形の細長い折り曲げ体２本が該収納部の左端沿いと右端沿いに、略Ｖ字形の内角部同士が向き合うように、かつ、略並行に内挿されているため、特には折り曲げ体は表シートと裏シートが左右中間部において密接せず離隔するのに十分な弾性を有しているため、表シートと裏シートが左右中間部において密接せず離隔している。したがって、封入物の封入時および取出し時に開口部を拡げやすい。
折り曲げ体は、表シートと裏シートが左右中間部において密接せず離隔するのに十分な弾性を有しており、略Ｖ字形の内角部が開く方向に力が働いているため、封筒の両側端を軽く握れば、開口部の表シートと裏シートを容易に逆方向に湾曲させること、すなわち、開口部を拡げることが可能である。
また、断面が略Ｖ字形の細長い折り曲げ体は、封入物を出し入れする時のガイドにもなる。したがって、封入物を入れやすく、取り出しやすい。
また、断面が略Ｖ字形の細長い折り曲げ体が該収納部の左端沿いと右端沿いに内挿されているため、封筒本体を形成する表シートと裏シートの間隔が、封筒本体の両側辺、つまり表シートと裏シートとの接着位置に向かって極端に狭くなることがなく、便箋等の封入物の出し入れの際に、引っかかることがない。
また、断面が略Ｖ字形の細長い折り曲げ体の外面が、表シートと裏シートとに接着しているため、表シートと裏シートの接着領域を大きくしなくても強度を確保でき、デザインの自由度が増す。また、表シートと裏シートの接着領域を大きくしなくても強度を確保でき、外周部を大きくしなくてもよいので、封筒の両側端を軽く握りやすく、開口部の表シートと裏シートを容易に逆方向に湾曲させやすい。
また、断面が略Ｖ字形の細長い折り曲げ体は、略Ｖ字形の内角部が開く方向に力が働いているため、封筒全体がやや立体的になり、デザイン性に優れる。
【００１０】
請求項３、請求項４の封筒は、折り曲げ体２本の開口部側の端部に蛇腹体が接続しているので、開口部を大きく開きやすい。また、該蛇腹体は、封筒の開口部付近における封入物の出し入れ時のガイドにもなる。したがって封入物を入れやすく、取り出しやすい。
【００１１】
請求項５、請求項６の封筒は、断面が略Ｖ字形でありその内角部同士が向き合った折り返し部を左右両端沿いに有する矩形シートが、該収納部の左右両端沿いに内挿されているので、特には該矩形シートは表シートと裏シートが左右中間部において密接せず離隔するのに十分な弾性を有しているため、表シートと裏シートが左右中間部において密接せず離隔している。したがって、封入物の封入時および取出し時に開口部を拡げやすい。
該矩形シートは、表シートと裏シートが左右中間部において密接せず離隔するのに十分な弾性を有しており、矩形シートの略Ｖ字形の内角部が開く方向に力が働くため、封筒の両側端を軽く握れば、開口部の表シートと裏シートを容易に逆方向に湾曲させること、すなわち、開口部を拡げることが可能である。
また、断面が略Ｖ字形でありその内角部同士が向き合った折り返し部は、封入物を出し入れのガイドにもなるので、封入物を入れやすく、取り出しやすい。
また、断面が略Ｖ字形でありその内角部同士が向き合った折り返し部がある矩形シートが該収納部の左端沿いと右端沿いに内挿されているため、封筒本体を形成する表シートと裏シートとの間が、封筒本体の両側辺、つまり表シートと裏シートとの接着位置に向かって極端に狭くなることがなく、便箋等の封入物の出し入れの際に、引っかかることがない。
また、断面が略Ｖ字形でありその内角部同士が向き合った折り返し部を左右両端沿いに有する矩形シートの外面が、表シートと裏シートとに接着しているため、表シートと裏シートとの接着領域である封筒本体の外周部を大きくしなくても強度が確保でき、デザインの自由度が増す。表シートと裏シートの接着領域を大きくしなくても強度を確保でき、外周部を大きくしなくてもよいので、封筒の両側端を軽く握りやすく、開口部の表シートと裏シートを容易に逆方向に湾曲させやすい。
また、断面が略Ｖ字形でありその内角部同士が向き合った折り返し部が開く方向に力が働いているため、封筒全体がやや立体的になり、デザイン性に優れる。
【００１２】
請求項７〜請求項８の封筒は、断面が扁平な略菱形もしくは略楕円形の筒状体が、収納部の両端沿いに内挿されているので、特には該筒状体は表シートと裏シートが左右中間部において密接せず離隔するのに十分な弾性を有しているため、表シートと裏シートが左右中間部において密接せず離隔している。したがって、封入物の封入時および取出し時に開口部を拡げやすい。
該筒状体は、表シートと裏シートが左右中間部において密接せず離隔するのに十分な弾性を有しており、該筒状体が開く方向に力が働くため、封筒の両側端を軽く握れば、開口部の表シートと裏シートを容易に逆方向に湾曲させること、すなわち、開口部を拡げることが可能である。
また、断面が扁平な略菱形もしくは略楕円形の筒状体は、封入物を出し入れのガイドにもなるので、封入物を入れやすく、取り出しやすい。
また、断面が扁平な略菱形もしくは略楕円形の筒状体が内挿されているため、封筒本体を形成する表シートと裏シートとの間が、封筒本体の両側辺、つまり表シートと裏シートとの接着位置に向かって極端に狭くなることがなく、便箋等の封入物の出し入れの際に、引っかかることがない。
また、断面が扁平な略菱形もしくは略楕円形の筒状体の外面が、表シートと裏シートとに接着しているため、表シートと裏シートとの接着領域である封筒本体の外周部を大きくしなくても強度が確保でき、デザインの自由度が増す。表シートと裏シートの接着領域を大きくしなくても強度を確保でき、外周部を大きくしなくてもよいので、封筒の両側端を軽く握りやすく、開口部の表シートと裏シートを容易に逆方向に湾曲させやすい。
また、断面が扁平な略菱形もしくは略楕円形の筒状体は開く方向に力が働いているため、封筒全体がやや立体的になり、デザイン性に優れる。
【００１３】
請求項９記載の封筒は、請求項７、請求項８の封筒の利点に加えて、小さな封入物（例えば、硬貨）を取り出しやすい。
【考案を実施するための最良の形態】
【００１４】
以下、図面を参照しつつ本考案を詳細に説明する。
はじめに、本考案において、略Ｖ字形は略Ｕ字形を含むものである。
表シート、裏シート、折り曲げ体、矩形シート及び筒状体は、紙製またはプラスチックシート製であることが好ましい。紙は、折り曲げたときに弾性を生じる程度の剛性があるものが好ましく、業務用の封筒に通常使用されている紙（例えば、クラフト紙、ケント紙）が好適である。プラスチックシートは、折り曲げたときに弾性を生じる程度の剛性があるものが好ましく、接着剤や糊により接着できるものが好ましい。市販の接着剤や糊により接着できるプラスチックシートとして、セロハン、クラレビニロン、ポリ乳酸樹脂、アセテート系樹脂、ポリオレフィン系接着性樹脂が例示される。
表シート、裏シート、折り曲げ体、矩形シート及び筒状体、特に、折り曲げ体、矩形シート及び筒状体は、粘着剤を塗布したポリプロピレンフィルム、ポリエチレンフィルム、ポリエステルフィルム、ポリ塩化ビニルフィルムなどの熱可塑性樹脂フィルムでもよい。
【００１５】
接着に用いられる接着剤は、紙と紙や、紙とプラスチックシート、プラスチックシートとプラスチックシートを接着できるものであれば特に限定されない。紙と紙の場合は糊、にかわが好ましい。紙とプラスチックシート及びプラスチック同士の場合は合成樹脂接着剤が好ましい。
【００１６】
［実施態様Ａ］
図１は、本考案の一実施態様の封筒Ａの表側平面図である。図２は、本考案の一実施態様の封筒Ａの裏側平面図である。図３は、図１のＸ−Ｘ断面図である。
本実施態様の封筒Ａは、凹凸のある外周端１を有する模様形状の表シート２と、開口部３を除き表シート２と略同一形状の裏シート４とからなり、表シート２と裏シート４は、開口部３を除く外周縁部５で接着して収納部６を形成しており、断面が略Ｖ字形の細長い折り曲げ体７、２本が該収納部６の左端沿いと右端沿いに、略Ｖ字形の内角部同士が向き合うように、かつ、略並行に内挿されており、該折り曲げ体の外面７ｂが表シート２の内面および裏シート４の内面に接着している。この例では、外周縁部５は、図１、図２の点線で囲まれている領域である。封筒Ａにおいて、外周縁部５は収納部６の外側に存在する表シート２と裏シート４が接着されている部分を意味し、外周縁部５の奥行きは特に限定されない。図１のペンギンの首あたりで外周縁部５の奥行きが少ない箇所があるが、表シート２と裏シート４は、折り曲げ体７を介しても接続しているので強度的に問題はない。
【００１７】
表シート２、裏シート４及び折り曲げ体７は、紙製またはプラスチックシート製であることが好ましい。折り曲げ体７は、表シート２と裏シート４が左右中間部において密接せず離隔するのに十分な弾性を有していることが好ましい。つまり、表シート２と裏シート４との間の密接力に抗して、折り曲げ体７の内角部の内角が広がるだけの弾性を有することが好ましい。なお、表シート２と裏シート４の左右中間部における離隔距離は０．５ｍｍ〜１０ｍｍが好ましく、１ｍｍ〜７ｍｍがより好ましい。
【００１８】
封筒Ａにおける凹凸のある外周端の凹凸は特に限定されない。図１、図２では、模様形状はペンギンの外形である。表シートと裏シートの模様形状は様々な形状を取り得るため、外周端はそれに応じた凹凸となる。
【００１９】
開口部３は、表シート２と裏シート４との間に形成され、収納部６に通じており、表シート２あるいは裏シート４から延出している蓋部８により閉じることができる。開口部３において、表シート２あるいは裏シート４の内、蓋部８が存在しない方のシートの開口端辺を湾入させて、収納部６内を見やすくしてもよい。
【００２０】
折り曲げ体７の外面は、必ずしもその全面が表シート２と裏シート４の内面に接着している必要はないが、折り曲げ体７の開口部３に接近している箇所、および長さ方向の中間部もしくは先端部は、表シート２と裏シートとに接着していることが好ましい。もっとも、折り曲げ体７の外面の全面ないしほぼ全面が、表シート２と裏シート４の内面に接着していると封筒の強度が大きくなるのでより好ましい。
【００２１】
［実施態様Ｂ］
図４は、本考案の一実施態様の封筒Ｂの表側平面図である。図５は、本考案の一実施態様の封筒Ｂの裏側平面図である。図６は、本考案の一実施態様の封筒Ｂの側面図である。図７は、本考案の一実施態様の封筒Ｂの開口部側側面図である。図８は、図４のＸ−Ｘ断面図である。
封筒Ｂは、凹凸のある外周端１を有する模様形状の表シート２と、開口部３を除き表シート２と略同一形状の裏シート４とからなり、表シート２と裏シート４は、開口部３およびその近傍を除く外周縁部５で接着して収納部６を形成しており、断面が略Ｖ字形の細長い折り曲げ体７、２本が該収納部６の左端沿いと右端沿いに、略Ｖ字形の内角部同士が向き合うように、かつ、略並行に内挿されており、折り曲げ体２本７の開口部３側の端部に蛇腹体９が接続しており、該蛇腹体９の両端面は表シート２の開口部近傍内面と裏シート４の開口部近傍内面に接着しており、折り曲げ体７の外面７ｂが表シート２の内面および裏シート４の内面に接着している。この例では、外周縁部５は、図４、図５の点線で囲まれている領域である。封筒Ｂにおいて、外周縁部５は収納部６の外側に存在する表シート２と裏シート４が接着されている部分を意味し、外周縁部５の奥行きは特に限定されない。図４のペンギンの首あたりで外周縁部５の幅が少ない箇所があるが、表シート２と裏シート４は、折り曲げ体７を介しても接続しているので強度的に問題はない。
【００２２】
表シート２、裏シート４、折り曲げ体７及び蛇腹体９は、紙製またはプラスチックシート製であることが好ましい。折り曲げ体７は、表シート２と裏シート４が左右中間部において密接せず離隔するのに十分な弾性を有していることが好ましい。つまり、表シート２と裏シート４との間の密接力に抗して、折り曲げ体７の内角部の内角が広がるだけの弾性を有することが好ましい。なお、表シート２と裏シート４の左右中間部における離隔距離は０．５ｍｍ〜１０ｍｍが好ましく、１ｍｍ〜７ｍｍがより好ましい。
【００２３】
封筒Ｂにおける凹凸のある外周端の凹凸は特に限定されない。図４、図５では、模様形状はペンギンの外形である。表シートと裏シートの模様形状は様々な形状を取り得るため、外周端はそれに応じた凹凸となる。
【００２４】
開口部３は、表シート２と裏シート４との間に形成され、収納部６に通じており、表シート２あるいは裏シート４から延出している蓋部８により閉じることができる。開口部３において、表シート２あるいは裏シート４の内、蓋部８が存在しない方のシートの開口端辺を湾入させて、収納部６内を見やすくしてもよい。
【００２５】
折り曲げ体７の外面は、必ずしもその全面が表シート２と裏シート４の内面に接着している必要はないが、折り曲げ体７の開口部３に接近している箇所、および長さ方向の中間部もしくは先端部は、表シート２と裏シートとに接着していることが好ましい。もっとも、折り曲げ体７の外面の全面ないしほぼ全面が、表シート２と裏シート４の内面に接着していると封筒の強度が大きくなるのでより好ましい。
【００２６】
本考案の封筒Ｂの蛇腹体９は、図６のように、折り曲げ体２本７の開口部３側の端部では、折り曲げ体と接続されているため蛇腹が圧縮されており、折り曲げ体２本７の開口部３側の端部から開口部３に向けて蛇腹が開くようになっている。蛇腹体９は、折り曲げ体と接続されているが、この「接続されている」の意は、折り曲げ体７と一体となっているという意を含むものである。
【００２７】
［実施態様Ｃ］
図９は、本考案の一実施態様の封筒Ｃの表側平面図である。図１０は、本考案の一実施態様の封筒Ｃの裏側平面図である。図１１は、図９のＸ−Ｘ断面図である。
封筒Ｃは、凹凸のある外周端１を有する模様形状の表シート２と、開口部３を除き表シート２と略同一形状の裏シート４とからなり、表シート２と裏シート４は、開口部３を除く外周縁部５で接着して収納部６を形成しており、断面が略Ｖ字形でありその内角部同士が向き合った折り返し部１０ｖを左右両端沿いに有する矩形シート１０が、該収納部６の左右両端沿いに内挿されており、該矩形シート１０の外面１０ｂが表シート２の内面および裏シート４の内面に接着している。封筒Ｃにおいて、外周縁部５は収納部６の外側に存在する表シート２と裏シート４が接着されている部分を意味し、外周縁部５の奥行きは特に限定されない。図９のペンギンの首あたりで外周縁部５の幅が少ない箇所があるが、表シート２と裏シート４は、矩形シート１０を介しても接続しているので強度的に問題はない。
【００２８】
表シート２、裏シート４及び矩形シート１０は、紙製またはプラスチックシート製であることが好ましい。矩形シート１０の折り返し部１０ｖは、表シート２と裏シート４が左右中間部において密接せず離隔するのに十分な弾性を有していることが好ましい。つまり、表シート２と裏シート４との間の密接力に抗して、折り返し部１０ｖの内角部の内角が広がるだけの弾性を有することが好ましい。なお、表シート２と裏シート４の左右中間部における離隔距離は０．５ｍｍ〜１０ｍｍが好ましく、１ｍｍ〜７ｍｍがより好ましい。
【００２９】
封筒Ｃにおける凹凸のある外周端の凹凸は特に限定されない。図９、図１０では、模様形状はペンギンの外形である。表シートと裏シートの模様形状は様々な形状を取り得るため、外周端はそれに応じた凹凸となる。
【００３０】
開口部３は、表シート２と裏シート４との間に形成され、収納部６に通じており、表シート２あるいは裏シート４から延出している蓋部８により閉じることができる。開口部３において、表シート２あるいは裏シート４の内、蓋部８が存在しない方のシートの開口端辺を湾入させて、収納部６内を見やすくしてもよい。
【００３１】
矩形シート１０の外面１０ｂは、必ずしもその全面が表シート２と裏シート４の内面に接着している必要はないが、折り曲げ体７の開口部３に接近している箇所、および長さ方向の中間部もしくは先端部は、表シート２と裏シートとに接着していることが好ましい。もっとも、矩形シート１０の外面１０ｂの全面ないしほぼ全面が、表シート２と裏シート４の内面に接着していると封筒の強度が大きくなるのでより好ましい。
【００３２】
図１２は、本考案の一実施態様の封筒Ｄの表側平面図である。図１３は、本考案の一実施態様の封筒Ｄの裏側平面図である。図１４は、図１２のＸ−Ｘ断面図である。
封筒Ｄは、凹凸のある外周端１を有する模様形状の表シート２と、開口部３を除き表シート２と略同一形状の裏シート４とからなり、表シート２と裏シート４は、開口部３を除く外周縁部５で接着して収納部６を形成しており、断面が扁平な略菱形もしくは略楕円形の筒状体１１が、収納部６に内挿されており、筒状体１１の外面１１ｂが表シート２の内面および裏シート４の内面に接着している。封筒Ｄにおいて、外周縁部５は収納部６の外側に存在する表シート２と裏シート４が接着されている部分を意味し、外周縁部５の奥行きは特に限定されない。図１２のペンギンの首あたりで外周縁部５の幅が少ない箇所があるが、表シート２と裏シート４は、筒状体１１を介しても接続しているので強度的に問題はない。
【００３３】
表シート２、裏シート４及び筒状体１１は、紙製またはプラスチックシート製であることが好ましい。筒状体１１は、断面が扁平な略菱形もしくは略楕円形となっているため、断面略Ｖ字形状部１１ｖを有している。断面略Ｖ字形状部１１ｖは、表シート２と裏シート４が左右中間部において密接せず離隔するのに十分な弾性を有していることが好ましい。つまり、表シート２と裏シート４との間の密接力に抗して、断面略Ｖ字形状部１１ｖの内角部の内角が広がるだけの弾性を有することが好ましい。なお、表シート２と裏シート４の左右中間部における離隔距離は０．５ｍｍ〜１０ｍｍが好ましく、１ｍｍ〜７ｍｍがより好ましい。
【００３４】
封筒Ｄにおける凹凸のある外周端の凹凸は特に限定されない。図１２、図１３では、模様形状はペンギンの外形である。表シートと裏シートの模様形状は様々な形状を取り得るため、外周端はそれに応じた凹凸となる。
【００３５】
開口部３は、表シート２と裏シート４との間に形成され、収納部６に通じており、表シート２あるいは裏シート４から延出している蓋部８により閉じることができる。開口部３において、表シート２あるいは裏シート４の内、蓋部８が存在しない方のシートの開口端辺を湾入させて、収納部６内を見やすくしてもよい。
【００３６】
筒状体１１の外面１１ｂは必ずしもその全面が表シート２と裏シート４の内面に接着している必要はなく、筒状体１１の開口部３に接近している箇所は、表シート２と裏シートとに接着していることが好ましい。もっとも、筒状体１１の外面１１ｂの全面ないしほぼ全面が、表シート２と裏シート４の内面に接着していると封筒の強度が大きくなるのでより好ましい。
【産業上の利用可能性】
【００３７】
本考案の封筒は、装飾封筒として有用であり、親しい間柄の受取人に親近感を覚えさせたり、ダイレクトメールなどの受取人に対して広告宣伝効果を増加させる封筒ととして有用である。
【図面の簡単な説明】
【００３８】
【図１】図１は、本考案の一実施態様の封筒Ａの表側平面図である。
【図２】図２は、本考案の一実施態様の封筒Ａの裏側平面図である。
【図３】図３は、図１のＸ−Ｘ断面図である。
【図４】図４は、本考案の一実施態様の封筒Ｂの表側平面図である。
【図５】図５は、本考案の一実施態様の封筒Ｂの裏側平面図である。
【図６】図６は、本考案の一実施態様の封筒Ｂの側面図である。
【図７】図７は、本考案の一実施態様の封筒Ｂの開口部側側面図である。
【図８】図８は、図４のＸ−Ｘ断面図である。
【図９】図９は、本考案の一実施態様の封筒Ｃの表側平面図である。
【図１０】図１０は、本考案の一実施態様の封筒Ｃの裏側平面図である。
【図１１】図１１は、図９のＸ−Ｘ断面図である。
【図１２】図１２は、本考案の一実施態様の封筒Ｄの表側平面図である。
【図１３】図１３は、本考案の一実施態様の封筒Ｄの裏側平面図である。
【図１４】図１４は、図１２のＸ−Ｘ断面図である。
【符号の説明】
【００３９】
１      凹凸のある外周端
２      表シート
３      開口部
４      裏シート
５      外周縁部
６      収納部
７      折り曲げ体
８      蓋部
９      蛇腹体
１０    矩形シート
１０ａ  矩形シート１０の内面
１０ｂ  矩形シート１０の外面
１０ｖ  矩形シート１０の折り返し部
１１    筒状体
１１ａ  筒状体１１の内面
１１ｂ  筒状体１１の外面
１１ｖ  筒状体１１の断面略Ｖ字形状部
【図１】
0003135448.tif 000003
【図２】
0003135448.tif 000004
【図３】
0003135448.tif 000005
【図４】
0003135448.tif 000006
【図５】
0003135448.tif 000007
【図６】
0003135448.tif 000008
【図７】
0003135448.tif 000009
【図８】
0003135448.tif 000010
【図９】
0003135448.tif 000011
【図１０】
0003135448.tif 000012
【図１１】
0003135448.tif 000013
【図１２】
0003135448.tif 000014
【図１３】
0003135448.tif 000015
【図１４】
0003135448.tif 000016